【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
それぞれ機器固有の機器認証鍵を有する電子機器の間で、暗号鍵と復号鍵を共通にする秘密鍵暗号アルゴリズムにより送信データの暗号・復号化を行う暗号通信方法において、以下のステップを備えることを特徴とする暗号通信方法：
a) 第１の電子機器において：
a-1) 送信側の第１の電子機器の機器認証鍵Ｋａと受信側の第２の電子機器の機器認証鍵Ｋｂとを組み合わせた暗号鍵Ｋａｂを作成し；
a-2) この暗号鍵を用いて送信データＰを暗号文Ｃとし；
a-3) この暗号文Ｃと送信側電子機器の機器認証鍵Ｋａとを、第２の電子機器に送信し；
b) 暗号文を受信した第２の電子機器では、
b-1) 受信側電子機器の機器認証鍵Ｋｂと暗号文Ｃに添付されていた送信側電子機器の機器認証鍵Ｋａとを組み合わせて復号鍵Ｋａｂを作成し；
b-2) この復号鍵を用いて前記暗号文Ｃを復号する。
【請求項２】
ステップa-1)で用いる第２の電子機器の機器認証鍵Ｋｂは、第２の電子機器から第１の電子機器に予め送信されたものを使用することを特徴とする請求項１の暗号通信方法。
【請求項３】
前記機器認証鍵Ｋｂは、第２の電子機器から第１の電子機器に予め送信された暗号文に添付されていたものであることを特徴とする請求項２の暗号通信方法。
【請求項４】
第２の電子機器から第１の電子機器に送信する場合には、ステップb-1)で作成された復号鍵を暗号鍵として用いて送信データを暗号化し、得られた暗号文を第２の電子機器の機器認証鍵Ｋｂを添付して第１の電子機器に送信することを特徴とする請求項１〜３の暗号通信方法。
【請求項５】
ステップb-2)の後に行われる第１の電子機器と第２の電子機器との間のデータ送受信は、互いに、送信データを前記暗号鍵を用いて暗号化した暗号文とし、この暗号文と共に送信側の機器認証鍵のみを相手側に送信し；
相手側電子機器では、受信した暗号文に添付されていた相手側機器認証鍵と自己の機器認証鍵を用いて復号鍵を作成し、この復号鍵を用いて暗号文を復号することを特徴とする請求項１〜４の何れかの暗号通信方法。
【請求項６】
前記機器認証鍵Ｋａ，Ｋｂは、それぞれの電子機器の識別情報、製造番号、製造日付を含む機器情報から選ばれた固有ＩＤであることを特徴とする請求項１〜５の暗号通信方法。
【請求項７】
前記機器認証鍵Ｋａ，Ｋｂは、それぞれの電子機器に予め付与されたユニーク値であることを特徴とする請求項１〜５の暗号通信方法。
【請求項８】
前記暗号鍵Ｋａｂは、機器認証鍵Ｋａ，Ｋｂをパスフレーズとしてこれを連結したものであることを特徴とする請求項１〜７の暗号通信方法。
【請求項９】
前記ステップa-1)において、前記暗号鍵Ｋａｂは機器認証鍵Ｋａ，Ｋｂの他に暗号側利用者が入力したパスワードを組み合わせて作成され、前記ステップb-1)では、復号側利用者が入力したパスワードを組み合わせて前記復号鍵を作成することを特徴とする請求項１の暗号通信方法。
【請求項１０】
前記ステップa-1)において、暗号側利用者が入力したパスワードをさらに組み合わせて前記暗号鍵Ｋａｂを作成し、前記ステップa-3）ではこのパスワードも含めて相手側第２の電子機器に送信し、前記ステップb-1)では復号側利用者が入力したパスワードと第１の電子機器から送信されたパスワードとが一致することを条件として、前記機器認証鍵Ｋａ、Ｋｂとパスワードとを用いて前記復号鍵を作成することを特徴とする請求項１の暗号通信方法。
【請求項１１】
前記ステップa-1)において、復号側利用者と共有する共有キーと乱数とをさらに組み合わせて前記暗号鍵を作成し、前記ステップa−3)ではこの前記乱数も含めて相手側第２の電子機器に送信し、
前記ステップb-1)において、提供された前記乱数と、復号側第２の電子機器が所持する共有キーとを組み合わせて前記復号鍵を作成することを特徴とする請求項１の暗号通信方法。
【請求項１２】
それぞれ機器固有の機器認証鍵を有する第１の電子機器と第２の電子機器との間で、暗号鍵と復号鍵とを共通にする秘密鍵暗号アルゴリズムにより送信データの暗号・復号化を行う暗号通信システムにおいて：
前記第１の電子機器は、
第１の電子機器の固有ＩＤ又は予め付与されたユニーク値を用いて作成された第１機器認証鍵Ｋａを記憶する第１機器認証鍵記憶手段と；
第２の電子機器から提供された第２の電子機器固有の第２機器認証鍵Ｋｂを読取る第２機器認証鍵読取手段と；
第１機器認証鍵Ｋａと第２機器認証鍵Ｋｂとを組み合わせて暗号鍵を作成する暗号鍵作成手段と；
得られた暗号鍵を用いて、送信データＰを暗号文Ｃに暗号化する暗号化手段と；
得られた暗号文Ｃを第１機器認証鍵Ｋａを含む属性情報と共に第２の電子機器に送信する送信手段とを備え；
前記第２の電子機器は、
第２の電子機器の固有ＩＤ又は予め付与されたユニーク値を用いて作成された前記第２機器認証鍵Ｋｂを記憶する第２機器認証鍵記憶手段と；
第１の電子機器から送信された暗号文Ｃに添付された属性情報から第１機器認証鍵Ｋａを読取る第１機器認証鍵読取手段と；
読取られた第１機器認証鍵Ｋａと自己の第２機器認証鍵Ｋｂとを組み合わせて復号鍵を作成する復号鍵作成手段と；
得られた復号鍵を用いて、第１の電子機器から提供された暗号文Ｃを復号化して平文の送信データＰを得る復号化手段と；
を備えることを特徴とする暗号通信システム。
【請求項１３】
相手側電子機器に送る送信データを暗号鍵と復号鍵とを共通にする秘密鍵暗号アルゴリズムにより暗号化して送信し、また相手側電子機器から受信した暗号文を復号化する暗号通信装置において：
電子機器の固有ＩＤ又は予め付与されたユニーク値を用いて作成された第１機器認証鍵Ｋａを記憶する機器認証鍵記憶手段と；
相手側電子機器から提供された相手側電子機器固有の第２機器認証鍵Ｋｂを読取る機器認証鍵読取手段と；
第１機器認証鍵Ｋａと第２機器認証鍵Ｋｂとを組み合わせて暗号鍵を作成する暗号鍵作成手段と；
得られた暗号鍵を用いて、送信データＰを暗号文Ｃに暗号化する暗号化手段と；
得られた暗号文Ｃを第１機器認証鍵Ｋａを含む属性情報と共に相手側電子機器に送信し、また相手側電子機器から送信された暗号文と相手側機器認証鍵を含む属性情報を受信する送・受信手段と；
第１機器認証鍵Ｋａと第２機器認証鍵Ｋｂとを組み合わせて復号鍵を作成する復号鍵作成手段と；
得られた復号鍵を用いて、相手側電子機器から提供された暗号文Ｃ’を平文の送信データＰ’に復号化する復号化手段；
を備えることを特徴とする暗号通信装置。
【請求項１４】
前記暗号通信装置が、利用者の端末装置に着脱可能な外部暗号通信装置として構成されていることを特徴とする請求項１３の暗号通信装置。
【請求項１５】
利用者の電子機器に着脱可能な外部暗号通信装置であって、相手側電子機器に送る送信データを暗号鍵と復号鍵とを共通にする秘密鍵暗号アルゴリズムにより暗号化して送信し、また相手側電子機器から受信した暗号文を復号化する外部暗号通信装置において：
外部暗号化通信装置の固有ＩＤ又は予め付与されたユニーク値を用いて作成された第１機器認証鍵Ｋａを記憶する機器認証鍵記憶手段と；
相手側電子機器から提供された相手側電子機器固有の第２機器認証鍵Ｋｂを読取る機器認証鍵読取手段と；
第１機器認証鍵Ｋａと第２機器認証鍵Ｋｂとを組み合わせて暗号鍵を作成する暗号鍵作成手段と；
得られた暗号鍵を用いて、送信データＰを暗号文Ｃに暗号化する暗号化手段と；
得られた暗号文Ｃを第１機器認証鍵Ｋａを含む属性情報と共に相手側電子機器に送信すること、また相手側電子機器から送信された暗号文Ｃ’と相手側機器認証鍵を含む属性情報を受信することを、当該外部暗号化通信装置を接続した電子機器に指示する送・受信指示手段と；
第１機器認証鍵Ｋａと第２機器認証鍵Ｋｂとを組み合わせて復号鍵を作成する復号鍵作成手段と；
得られた復号鍵を用いて、相手側電子機器から提供された暗号文Ｃ’を平文Ｐ’に復号化する復号化手段；
とを備えることを特徴とする外部暗号通信装置。
【請求項１６】
利用者の電子機器に着脱可能な外部暗号通信装置であって、相手側電子機器に送る送信データを暗号鍵と復号鍵とを共通にする秘密鍵暗号アルゴリズムにより暗号化して送信し、また相手側電子機器から受信した暗号文を復号化する外部暗号通信装置において：
電子機器の固有ＩＤ又は予め付与されたユニーク値を用いて作成された第１機器認証鍵Ｋａを記憶する機器認証鍵記憶手段と；
相手側電子機器から提供された相手側電子機器固有の第２機器認証鍵Ｋｂを読取る機器認証鍵読取手段と；
第１機器認証鍵Ｋａと第２機器認証鍵Ｋｂとを組み合わせて暗号鍵を作成する暗号鍵作成手段と；
得られた暗号鍵を用いて、送信データＰを暗号文Ｃに暗号化する暗号化手段と；
得られた暗号文Ｃを第１機器認証鍵Ｋａを含む属性情報と共に相手側電子機器に送信すること、また相手側電子機器から送信された暗号文Ｃ’と相手側機器認証鍵Ｋｂを含む属性情報を受信することを、当該外部暗号化通信装置を接続した電子機器に指示する送・受信指示手段と；
第１機器認証鍵Ｋａと第２機器認証鍵Ｋｂとを組み合わせて復号鍵を作成する復号鍵作成手段と；
得られた復号鍵を用いて、相手側電子機器から提供された暗号文Ｃ’を平文Ｐ’に復号化する復号化手段；
とを備えることを特徴とする外部暗号通信装置。
【請求項１７】
それぞれ機器固有の機器認証鍵を有する電子機器の間で、暗号鍵と復号鍵とを共通にする秘密鍵暗号アルゴリズムにより送・受信データの暗号・復号化を行う暗号通信プログラムにおいて；
送信側電子機器の機器認証鍵と受信側電子機器の機器認証鍵とを用いて暗号鍵を作成し；
この暗号鍵で送信データを暗号化して暗号文を作成し；
この暗号文を送信側電子機器の機器認証鍵と共に相手側電子機器に送信することを特徴とする暗号通信プログラム。
【請求項１８】
それぞれ機器固有の機器認証鍵を有する電子機器の間で、暗号鍵と復号鍵とを共通にする秘密鍵暗号アルゴリズムにより送・受信データの暗号・復号化を行う暗号通信プログラムにおいて；
受信した暗号文に添付された送信側電子機器の機器認証鍵と受信側電子機器の機器認証鍵とを組み合わせて復号鍵を作成し；
この復号鍵を用いて暗号文を復号することを特徴とする暗号通信プログラム。
【請求項１９】
それぞれ機器固有の機器認証鍵を有する電子機器の間で、暗号鍵と復号鍵とを共通にする秘密鍵暗号アルゴリズムにより送・受信データの暗号・復号化を行う暗号通信プログラムにおいて；
送信時には：
送信側電子機器の機器認証鍵Ｋａと受信側電子機器の機器認証鍵Ｋｂとを組み合わせて暗号鍵Ｋａｂを作成するステップと；
この暗号鍵Ｋａｂで送信データＰを暗号化して暗号文Ｃを作成し；
この暗号文Ｃと送信側電子機器の機器認証鍵Ｋａとを相手側電子機器に送信し；
受信時には、
相手側電子機器から受信した暗号文Ｃ’に添付された相手側電子機器の機器認証鍵Ｋｂと受信側電子機器の機器認証鍵Ｋａとを組み合わせて復号鍵Ｋａｂを作成し；
この復号鍵Ｋａｂを用いて暗号文Ｃ’を復号することを特徴とする暗号通信プログラム。
【請求項２０】
それぞれ機器固有の機器認証鍵を有する電子機器の間で、暗号鍵と復号鍵とを共通にする秘密鍵暗号アルゴリズムにより送信データの暗号・復号化を行う暗号通信プログラムであって、以下の各ステップを備えることを特徴とする暗号通信プログラム：
a) 送信側の第１の電子機器の機器認証鍵Ｋａと受信側の第２の電子機器の機器認証鍵Ｋｂとを組み合わせた暗号鍵Ｋａｂを作成し；
b) この暗号鍵Ｋａｂを用いて送信データＰを暗号文Ｃとし；
c) この暗号文Ｃと送信側電子機器の機器認証鍵Ｋａとを、第２の電子機器に送信し；
d) 相手側の第２の電子機器から暗号文Ｃ’と相手側の機器認証鍵Ｋｂとを受信し；
e) 受信側電子機器の機器認証鍵Ｋａと送信側電子機器の機器認証鍵Ｋｂとを組み合わせて復号鍵Ｋｂａを作成し；
f) この復号鍵Ｋｂａを用いて前記暗号文Ｃ’を復号する。
【手続補正２】
【補正対象書類名】明細書
【補正対象項目名】０００３
【補正方法】変更
【補正の内容】
【０００３】
近年では、公開鍵と秘密鍵という異なった２種類の鍵のペアによって暗号化、復号化を行う公開鍵暗号方式による暗号通信も行われている。これは、相手側の公開鍵を用いて暗号化したデータを相手に送り、相手は送られた暗号文を自分の秘密の秘密鍵で復号化するもので、この秘密鍵を持っていない他人には、この暗号文を解読できない。１つの鍵を公開しておけば、誰にでもその鍵を使ってもらうことが出来、多数の相手とのやり取りを行う場合でも、自分の秘密鍵だけを管理しておけば良く、鍵の管理が煩雑になることはない点で優れている。しかし暗号化アルゴリズムと復号化アルゴリズムが非対称であり、数学的に難しい処理が多くなるため、高速処理が難しくなる。このため、ネット上で暗号化したコンテンツなどを受信者に送りリアルタイムに復号化することが要求される交互通信の場合や、データ量が非常に大きい場合には向いていないという問題があった。特にメモリ量が制限される携帯型端末では、十分な処理速度を得るのが難しいという問題があった。
【手続補正３】
【補正対象書類名】明細書
【補正対象項目名】０００７
【補正方法】変更
【補正の内容】
【０００７】
本発明の第１の目的は、それぞれ機器固有の機器認証鍵を有する電子機器の間で、暗号鍵と復号鍵とを共通にする秘密鍵暗号アルゴリズムにより送信データの暗号・復号化を行う暗号通信方法において、以下のステップを備えることを特徴とする暗号通信方法：
a) 第１の電子機器において：
a-1) 送信側の第１の電子機器の機器認証鍵Ｋａと受信側の第２の電子機器の機器認証鍵Ｋｂとを組み合わせた暗号鍵Ｋａｂを作成し；
a-2) この暗号鍵を用いて送信データＰを暗号文Ｃとし；
a-3) この暗号文Ｃと送信側電子機器の機器認証鍵Ｋａとを、第２の電子機器に送信し；
b) 暗号文を受信した第２の電子機器では、
b-1) 受信側電子機器の機器認証鍵Ｋｂと暗号文Ｃに添付されていた送信側電子機器の機器認証鍵Ｋａとを組み合わせて復号鍵Ｋａｂを作成し；
b-2) この復号鍵を用いて前記暗号文Ｃを復号する、
により達成される。
【手続補正４】
【補正対象書類名】明細書
【補正対象項目名】００１７
【補正方法】変更
【補正の内容】
【００１７】
本発明の第２の目的は、そそれぞれ機器固有の機器認証鍵を有する第１の電子機器と第２の電子機器との間で、暗号鍵と復号鍵とを共通にする秘密鍵暗号アルゴリズムにより送信データの暗号・復号化を行う暗号通信システムにおいて：
前記第１の電子機器は、
第１の電子機器の固有ＩＤ又は予め付与されたユニーク値を用いて作成された第１機器認証鍵Ｋａを記憶する第１機器認証鍵記憶手段と；
第２の電子機器から提供された第２の電子機器固有の第２機器認証鍵Ｋｂを読取る第２機器認証鍵読取手段と；
第１機器認証鍵Ｋａと第２機器認証鍵Ｋｂとを組み合わせて暗号鍵を作成する暗号鍵作成手段と；
得られた暗号鍵を用いて、送信データＰを暗号文Ｃに暗号化する暗号化手段と；
得られた暗号文Ｃを第１機器認証鍵Ｋａを含む属性情報と共に第２の電子機器に送信する送信手段とを備え；
前記第２の電子機器は、
第２の電子機器の固有ＩＤ又は予め付与されたユニーク値を用いて作成された前記第２機器認証鍵Ｋｂを記憶する第２機器認証鍵記憶手段と；
第１の電子機器から送信された暗号文Ｃに添付された属性情報から第１機器認証鍵Ｋａを読取る第１機器認証鍵読取手段と；
読取られた第１機器認証鍵Ｋａと自己の第２機器認証鍵Ｋｂとを組み合わせて復号鍵を作成する復号鍵作成手段と；
得られた復号鍵を用いて、第１の電子機器から提供された暗号文Ｃを復号化して平文の送信データＰを得る復号化手段と；
を備えることを特徴とする暗号通信システム、
により達成される（請求項１２）。
【手続補正５】
【補正対象書類名】明細書
【補正対象項目名】００１８
【補正方法】変更
【補正の内容】
【００１８】
さらに本発明の第３の目的は、相手側電子機器に送る送信データを暗号鍵と復号鍵とを共通にする秘密鍵暗号アルゴリズムにより暗号化して送信し、また相手側電子機器から受信した暗号文を復号化する暗号通信装置において：電子機器の固有ＩＤ又は予め付与されたユニーク値を用いて作成された第１機器認証鍵Ｋａを記憶する機器認証鍵記憶手段と；相手側電子機器から提供された相手側電子機器固有の第２機器認証鍵Ｋｂを読取る機器認証鍵読取手段と；第１機器認証鍵Ｋａと第２機器認証鍵Ｋｂとを組み合わせて暗号鍵を作成する暗号鍵作成手段と；得られた暗号鍵を用いて、送信データＰを暗号文Ｃに暗号化する暗号化手段と；得られた暗号文Ｃを第１機器認証鍵Ｋａを含む属性情報と共に相手側電子機器に送信し、また相手側電子機器から送信された暗号文と相手側機器認証鍵を含む属性情報を受信する送・受信手段と；第１機器認証鍵Ｋａと第２機器認証鍵Ｋｂとを組み合わせて復号鍵を作成する復号鍵作成手段と；得られた復号鍵を用いて、相手側電子機器から提供された暗号文Ｃ’を平文の送信データＰ’に復号化する復号化手段を備えることを特徴とする暗号通信装置により達成される。
【手続補正６】
【補正対象書類名】明細書
【補正対象項目名】００２４
【補正方法】変更
【補正の内容】
【００２４】
本発明の第４の目的は、それぞれ機器固有の機器認証鍵を有する電子機器の間で、暗号鍵と復号鍵とを共通にする秘密鍵暗号アルゴリズムにより送・受信データの暗号・復号化を行う暗号通信プログラムにおいて；
送信側電子機器の機器認証鍵と受信側電子機器の機器認証鍵とを組み合わせて暗号鍵を作成し；
この暗号鍵で送信データを暗号化して暗号文を作成し；
この暗号文と送信側電子機器の機器認証鍵とを相手側電子機器に送信することを特徴とする暗号通信プログラム、
により達成される（請求項１７）。
【手続補正７】
【補正対象書類名】明細書
【補正対象項目名】００２５
【補正方法】変更
【補正の内容】
【００２５】
また本発明の第４の目的は、それぞれ機器固有の機器認証鍵を有する電子機器の間で、暗号鍵と復号鍵とを共通にする秘密鍵暗号アルゴリズムにより送・受信データの暗号・復号化を行う暗号通信プログラムにおいて；
受信した暗号文に添付された送信側電子機器の機器認証鍵と受信側電子機器の機器認証鍵とを組み合わせて復号鍵を作成し；
この復号鍵を用いて暗号文を復号することを特徴とする暗号通信プログラム、
により達成される（請求項１８）。
さらに本発明の第４の目的は、それぞれ機器固有の機器認証鍵を有する電子機器の間で、秘密鍵暗号アルゴリズムにより送・受信データの暗号・復号化を行う暗号通信プログラムにおいて；
送信時には：
送信側電子機器の機器認証鍵Ｋａと受信側電子機器の機器認証鍵Ｋｂとを用いて暗号鍵Ｋａｂを作成するステップと；
この暗号鍵Ｋａｂで送信データＰを暗号化して暗号文Ｃを作成し；
この暗号文Ｃと送信側電子機器の機器認証鍵Ｋａとを相手側電子機器に送信し；
受信時には、
相手側電子機器から受信した暗号文Ｃ’に添付された相手側電子機器の機器認証鍵Ｋｂと受信側電子機器の機器認証鍵Ｋａとを組み合わせて復号鍵Ｋｂａを作成し；
この復号鍵Ｋａｂを用いて暗号文Ｃ’を復号することを特徴とする暗号通信プログラム、によっても達成される（請求項１９）。
【手続補正８】
【補正対象書類名】明細書
【補正対象項目名】００２６
【補正方法】変更
【補正の内容】
【００２６】
また本発明の第４の目的は、それぞれ機器固有の機器認証鍵を有する電子機器の間で、暗号鍵と復号鍵とを共通にする秘密鍵暗号アルゴリズムにより送信データの暗号・復号化を行う暗号通信プログラムであって、以下の各ステップを備えることを特徴とする暗号通信プログラム：
a) 送信側の第１の電子機器の機器認証鍵Ｋａと受信側の第２の電子機器の機器認証鍵Ｋｂとを組み合わせた暗号鍵Ｋａｂを作成し；
b) この暗号鍵Ｋａｂを用いて送信データＰを暗号文Ｃとし；
c) この暗号文Ｃと送信側電子機器の機器認証鍵Ｋａとを、第２の電子機器に送信し；
d) 相手側の第２の電子機器から暗号文Ｃ’と相手側の機器認証鍵Ｋｂとを受信し；
e) 受信側電子機器の機器認証鍵Ｋａと送信側電子機器の機器認証鍵Ｋｂとを組み合わせて復号鍵Ｋａｂ作成し；
f) この復号鍵Ｋａｂを用いて前記暗号文Ｃ’を復号する、
により達成される（請求項２０）。
【手続補正９】
【補正対象書類名】明細書
【補正対象項目名】００３１
【補正方法】変更
【補正の内容】
【００３１】
図２により、暗号側電子機器１０内での暗号化処理の流れをより具体的に説明する。暗号鍵作成手段１４は、疑似乱数作成手段１８，キー作成手段２０，暗号鍵作成エンジン２２、秘密鍵記憶手段２４，乱数発生エンジン２６とを備えている。疑似乱数作成手段１８は、暗号化装置の機器認証鍵Ｋａと復号化装置の機器認証鍵Ｋｂとを組み合わせて逆変換不能の疑似乱数を作成するものであり、Hash関数を用いることができる。例えば、認証鍵Ｋａが「Ａ１０１」であり、認証鍵Ｋｂが「Ｂ２０２」で表せる場合には、これらをパスフレーズとしてタンデムに連結した「Ａ１０１Ｂ２０２」をhash関数で処理して疑似乱数を求める。求められた疑似乱数を、キーボードなど外部入力手段２８で入力されたパスワードと秘密鍵記憶手段２４に記憶された秘密鍵と組み合わせ、キー作成手段２０によりキー（Ｘ）を作成する。このキー（Ｘ）は、疑似乱数、パスワード、秘密鍵を単に連結したものでもよいし、加減乗除したものでもよい。秘密鍵は、暗号化装置利用者と復号化装置利用者を企業内や、特定のグループに属するものに限定する場合に使用するグループ情報であり、同一グループに属する相手側通信装置５０にも秘密鍵記憶手段６４に同じ秘密鍵を記憶しておく（図３参照）。
【手続補正１０】
【補正対象書類名】明細書
【補正対象項目名】００５２
【補正方法】変更
【補正の内容】
【００５２】
１０  暗号側通信装置（第１の電子機器）
１２Ａ  機器認証鍵記憶手段
１２Ｂ  機器認証鍵読取手段
１４、１４’暗号鍵作成手段
１６、１６’  暗号化手段（暗号化エンジン）
１８、５８  疑似乱数作成エンジン
２０、６０  キー作成手段
２２  暗号鍵作成エンジン
２４、６４  秘密鍵記憶手段
２６  乱数発生エンジン
２８、７０  パスワード入力手段
３０  属性情報付加手段
５０  復号側通信装置（第２の電子機器）
５２Ａ  機器認証鍵読取手段
５２Ｂ  機器認証鍵記憶手段
５４、５４’  復号鍵作成手段
５６、５６’  復号化手段（復号エンジン）
６２  復号鍵作成エンジン
６６  属性情報読取り手段
７０  平文作成手段
７２  平文比較（認証）手段
８０，８０’  送受信（指示）手段
１００  平文
１１０  暗号文
１２０  属性情報
【手続補正１１】
【補正対象書類名】図面
【補正対象項目名】図１
【補正方法】変更
【補正の内容】
【図１】
2006333095.tif 000001